(57)【要約】【課題】ドア操作時の安全性及び防犯性に優れ、簡単な構造の組み合わせにて施工汎用性が高いドア装置の提供を目的とする。【解決手段】ドアと、ドアクローザと、電気錠と、開操作アシスト具と、枠とを備えたドア装置とし、ドアの屋外側に握手がなく、ドアクローザはドアの閉じる方向に回動力を付与し、電気錠は解錠信号を受けたときに解錠し、開操作アシスト具はドアと枠との間に設け電気錠の解錠に連動して作動しドア開き角度がドアクローザの最大トルク値を受ける角度（２〜３度）よりも大きく、ドアの戸先と枠との隙間寸法が３０ｍｍ以上３００ｍｍ以下の開き範囲における任意位置までドアが屋外側に向けて開く方向に回動力を付与するものであるとともに、任意位置よりもドアを開く操作を行わないか、またはドアを開いたと制御部が判断したときには作動前の状態に退避するように制御した。【選択図】  図１
2006104814.tif 000002
【特許請求の範囲】
【請求項１】
ドアと、ドアクローザと、電気錠と、開操作アシスト具と、枠とを備え、
ドアは、屋外側に握手を有していなく、
ドアクローザは、ドアの閉じる方向に回動力を付与し、最大トルク値がドア開き角度２度乃至３度の範囲にあり、
電気錠は、解錠信号を受けたときに解錠し、
開操作アシスト具は、ドアと枠との間に設け、電気錠の解錠に連動して作動し、ドア開き角度が、ドアクローザの最大トルク値を受ける角度よりも大きく、かつ、ドアの戸先と枠との隙間寸法が３０ｍｍ以上３００ｍｍ以下の開き範囲における予め設定した任意位置までドアが屋外側に向けて開く方向に回動力を付与するものであるとともに、任意位置よりもドアを開く操作を行わないか、または任意位置よりもドアを開いたと制御部が判断したときには、作動前の状態に退避するように制御したことを特徴とするドア装置。
【発明の詳細な説明】
【技術分野】
【０００１】
本発明は、玄関等に使用するドア装置に関する。
【背景技術】
【０００２】
開きドアの解錠を外部信号でリモートコントロールする方法は公知である。
例えば、特開平１−１９２９７９号（特許第２５９４４４９号）公報には、ドア錠固有のキーコード信号をリモートコントロール信号として発信し、これを受けたドア錠が解錠状態になり、ドアクローザの閉成勢力に抗して所定時間ドアを開いた状態にするドア駆動手段を備えたドア自動開閉装置を開示する。
しかし上記技術においては、ドアを開くドア駆動手段はドアクローザに設けた専用ものであるため、すでに一般的なドアクローザを取り付けたドアに後付けする場合には、既設のドアクローザを取り外す必要が生じ、汎用性が無く高価であるばかりでなく、不用意なリモートコントロールの作動によりドアが開く恐れや、ドアの外側近傍に立つ人に不本意に当たることも想定され、安全性に問題があった。
【０００３】
また、特開２０００−５４７２１号公報の図１１には、電動モーターの回転によって突出する押し開き杆を開示するが、発明の目的が初期開扉の補助にあり、ドアの開き操作そのものは手動操作であるために、例えば、両手に荷物を持っている場合等には一旦、荷を床に置かなければならず、使い勝手がよくない。
さらに、ドアノブやハンドル等を備える必要があり、このドアノブやハンドルを破壊してドアを開ける侵入事件も発生している点で防犯に対する対策が不充分であった。
【０００４】
【特許文献１】特開平１−１９２９７９号公報
【特許文献２】特開２０００−５４７２１号公報
【発明の開示】
【発明が解決しようとする課題】
【０００５】
本発明は、上記従来技術に内在する技術的課題に鑑みて、ドア操作時の安全性及び防犯性に優れ、簡単な構造の組み合わせにて施工汎用性が高いドア装置の提供を目的とする。
【課題を解決するための手段】
【０００６】
本発明におけるドア装置は、ドアと、ドアクローザと、電気錠と、開操作アシスト具と、枠とを備え、ドアは、屋外側に握手を有していなく、ドアクローザは、ドアの閉じる方向に回動力を付与し、最大トルク値がドア開き角度２度乃至３度の範囲にあり、電気錠は、解錠信号を受けたときに解錠し、開操作アシスト具は、ドアと枠との間に設け、電気錠の解錠に連動して作動し、ドア開き角度が、ドアクローザの最大トルク値を受ける角度よりも大きく、かつ、ドアの戸先と枠との隙間寸法が３０ｍｍ以上３００ｍｍ以下の開き範囲における予め設定した任意位置までドアが屋外側に向けて開く方向に回動力を付与するものであるとともに、任意位置よりもドアを開く操作を行わないか、または任意位置よりもドアを開いたと制御部が判断したときには、作動前の状態に退避するように制御したことを特徴とする。
【０００７】
ここで、ドアは屋外側に握手を有していなくとは、ドアの戸先と枠との隙間寸法を３０ｍｍ以上開くように開操作アシスト具が作動するので、その隙間に指を入れて戸先に引っかけてドアを開くことができるため、ドアの屋外側に握手が必要でないとの意味である。
また、ドア開き角度がドアクローザの最大トルク値を受ける角度よりも大きくとしたのは、開操作アシスト具がドアの開くのに最も力のいるドアクローザの最大トルク値を越えるまでは、最少限ドアの開きをアシストする趣旨である。
【０００８】
任意位置よりもドアを開く操作を行わないときにも作動前の状態に退避するようにしたのは、不用意にドアが開き、そのままになるのを防止する趣旨である。
ここで、作動前の状態に退避するとは、開操作アシスト具がドア側に向けて開くように回動力を付与する突出手段が後退することをいう。
【発明の効果】
【０００９】
本発明におけるドア装置においては、解錠信号を受けて電気錠を解錠した後に、ドアの戸先と枠との隙間寸法が３０ｍｍ以上３００ｍｍ以下の開き範囲にて、予め設定した任意位置までドアが開くように開操作アシスト具が作動する。
従って、戸先が枠より３０ｍｍ以上開くことにより、戸先に指先を引っかけてドアを開くことができるので、ドアの屋外側から握手を無くすことができる。
これにより、ドア面からノブやハンドル等の突出物が無いので、ノブ等を破壊しドアを開けて侵入する行為を防いだ防犯性に優れたドア装置となる。
また従来のドアは、ノブやハンドルを操作して開く必要があるため、ノブ等に手が届かない子供等はドアを開くことができなかったが、戸先が枠より所定の隙間だけ開くことにより、上下方向のどの位置にも指先等が引っ掛かり子供等でも簡単にドアを開けることができる。
ドアの開き範囲を３００ｍｍ以下におさえたことにより、ドアの外側に立つ人に不本意に当たる恐れが無くなり安全性に優れる。
任意位置よりもドアを開く操作を行わないか、または任意位置よりもドアを開いたと制御部が判断したときには、作動前の状態に退避するように開操作アシスト具を制御したことにより、ドア側に向けて開くように回動力を付与する突出手段がドアを開けた状態で外部から見えず、見栄えが良い。
また、ドアが開き放しになることもない。
【発明を実施するための最良の形態】
【００１０】
図３に本発明に係るドア装置の外観図を示し、図３（イ）が屋外側から見たドア面であり、図３（ロ）が屋内側（室内側）から見たドア面である。
ドア１の屋外側には握手を有していなく、電気錠に解錠信号を送るタッチパネル２と信号認識及び、操作確認において点灯するＬＥＤ（発光ダイオード）表示部３が備えられている。
ドア１の屋内側（室内側）には、ドア１と枠４との間にドアクローザ５及び開操作アシスト具６が備えられている。
【００１１】
図１及び図２に、ドア１とドアクローザ５及び開操作アシスト具６との関係を模式図として示す。
図１はドアを開く動作説明図で、図２はドアが閉じた状態を示す。
ドア１は吊り元側をヒンジ１ａ等で開閉自在になっている。
ドアクローザ５は、クローザ本体５１をドア１の側面に取り付け、枠の図示を省略したが枠側に取り付けた固定板５４との間をリンク５２、５３等で連結し、ドア１が閉じる方向に回動力を付与している。
【００１２】
開操作アシスト具６は、アシスト具本体６１を枠側（躯体側）に固定し、アシスト具本体から突出又は退避するアシストアーム６２を備えている。
この開操作アシスト具は、ドアが屋外側に向けて開く方向に回動力を付与するものである。
従って、アシストアーム６２が突出してドア１が開く方向にアシストするものであればどのような機構を用いてもよいが、図１に示した例は電動モーター６３の回転により減速機６３ａ等を経由して内側に雌ねじを切ったギヤ６４を回転し、この雌ねじ部に雄ねじを切ったアシストアーム６２を螺合し、ドア側に突出又は退避するようになっている。
【００１３】
次に、本発明に係るドア装置の開閉システムを図３に示す動作線図に基づいて、図１及び図２にて説明する。
人が電子キーを携帯しドアに近づくと、この電子キーから発信しているＩＤ情報を認識してＩＤ認証をし、ＬＥＤ表示部３が緑色に点灯して表示する。
この状態で人がタッチパネル２をタッチすると、スイッチオンの指令が出てその電気信号を受けて電気錠７の電動ラッチ７ａを解錠し、この電気錠の解錠信号に連動して開操作アシスト具６が起動しアシストアーム６２を突出してドアを開く方向に押圧する。
なお、タッチパネルに人がタッチしないと電気錠を解錠しないようにしたのは、電子キーの信号を受けて直ちに解錠し、ドアが開くようにすると不意にドアが開く恐れもあるため、タッチパネルをタッチ後にドアが開くようにしてドア操作の安全性を確保した。
アシストアームの突出量は、ドア開き角度θでは、ドアクローザの最大トルク値を受ける２度乃至３度より大きく、戸先と枠との間の隙間寸法Ｓでは３０〜３００ｍｍの範囲である。
アシストアームの先端に圧力センサー６５を取り付けてあり、人が更にドア１を開くとドアとアーム先端との隙間を検出し、アシストアームが退避収納する。
これにより、人がドアから手を離すとドアが閉じる。
この場合に、不用意にドアが開く等、ドアを人が開けずにそのままになっていると、ドアとアーム先端の隙間を検出しないので再度ＩＤ確認を繰り返す。
ＩＤ認証ができないとアシストアームが退避してドアが閉じる。
ドアが閉じると、電気錠７の電動ラッチ７ａは施錠状態になり、ＬＥＤ表示部が赤色に点灯する。
また、所定のＩＤ情報を発信している電子キーを携帯する替わりに、電子キー操作にてＩＤ情報を発信するようにしてもよく、また、リモートコントロール操作方式を採用する場合には、リモコンのボタン操作にて例えば、暗証番号を入力して直接、スイッチオン動作に入り、ＩＤ認証やタッチパネルのタッチ操作を省略してもよい。
なお、開操作アシスト具によるドア開き角度等を選定するに当たり、ドアクローザの開閉トルクを調査した結果を図５及び図６に示し、最大トルク値はドア開き角度が２度乃至３度の間であり、この範囲を越えてアシストするとともに、指先が入るように戸先と枠との間の隙間寸法を３０ｍｍ以上にし、人に当たらないように３００ｍｍ以内にした。
【図面の簡単な説明】
【００１４】
【図１】本発明に係るドア装置要部説明図を示し、ドア開動作を示す。
【図２】ドアが閉じた状態を示す。
【図３】ドアの外観を示す。
【図４】本発明に係るドア装置の動作線図を示す。
【図５】ドアクローザの開閉トルクを示す。
【図６】ドアクローザの開閉トルク変化曲線を示す。
【符号の説明】
【００１５】
１    ドア
２    タッチパネル
３    ＬＥＤ表示部
４    枠
５    ドアクローザ
６    開操作アシスト具
６２  アシストアーム
θ    ドア開き角度
Ｓ    戸先と枠との間の隙間寸法
【図１】
2006104814.tif 000003
【図２】
2006104814.tif 000004
【図３】
2006104814.tif 000005
【図４】
2006104814.tif 000006
【図５】
2006104814.tif 000007
【図６】
2006104814.tif 000008